(57)【要約】【課題】ホウ素濃度調整の頻度を低減できる原子炉制御装置、原子力発電プラント及び原子炉制御方法を提供する。【解決手段】原子炉制御装置１００は、原子炉の炉心に対して軸方向に挿入及び引抜可能な複数の制御棒を有した複数の制御バンクと、前記制御バンク毎に前記制御棒を挿入及び引抜させる制御棒駆動装置２０と、前記制御棒駆動装置２０を制御する制御装置２１と、を備える。制御装置２１は、出力分布取得部２２と、冷却材平均温度取得部２４と、軸方向出力偏差算出部２３と、制御バンク位置取得部２６と、温度偏差算出部２５と、駆動制御部と２７、を備える。駆動制御部は、温度偏差と、軸方向出力偏差と、制御バンクの位置とに基づいて、複数の制御バンク毎に制御棒の挿入及び引抜制御を行う。【選択図】図３
2020190423.tif 000002
【特許請求の範囲】
【請求項１】
原子炉の炉心に対して軸方向に挿入及び引抜可能な複数の制御棒を有した複数の制御バンクと、
前記制御バンク毎に前記制御棒を挿入及び引抜させる制御棒駆動装置と、
前記制御棒駆動装置を制御する制御装置と、
を備え、
前記制御装置は、
前記炉心の軸方向出力分布を取得する出力分布取得部と、
前記炉心に流れる一次冷却材の平均温度を取得する冷却材平均温度取得部と、
前記出力分布取得部の取得結果に基づき、炉心上部の中性子束と、炉心下部の中性子束との偏差である軸方向出力偏差を算出する軸方向出力偏差算出部と、
前記制御バンクの位置を取得する制御バンク位置取得部と、
前記冷却材平均温度取得部で取得した前記平均温度と、前記一次冷却材の目標温度との温度偏差を求める温度偏差算出部と、
前記温度偏差算出部により取得した温度偏差情報と、前記軸方向出力偏差算出部により算出した軸方向出力偏差情報と、前記制御バンク位置取得部により取得した前記制御バンクの位置情報とに基づいて、前記制御棒駆動装置に対して前記複数の制御バンク毎に前記制御棒の挿入及び引抜制御を行う駆動制御部と、
を備える原子炉制御装置。
【請求項２】
前記駆動制御部は、
前記平均温度よりも前記目標温度の方が低く、前記炉心上部の中性子束が前記炉心下部の中性子束よりも高く、且つ、複数の制御バンクのうちの第一制御バンクの位置が炉心下部である場合に、前記第一制御バンクとは異なる第二制御バンクの制御棒のみを挿入させる請求項１に記載の原子炉制御装置。
【請求項３】
前記駆動制御部は、
前記平均温度よりも前記目標温度の方が高く、前記炉心上部の中性子束が前記炉心下部の中性子束よりも高く、且つ、複数の制御バンクのうちの第一制御バンクの位置が炉心下部である場合に、前記第一制御バンクの制御棒のみを引抜させる請求項１又は２に記載の原子炉制御装置。
【請求項４】
前記駆動制御部は、
前記平均温度よりも前記目標温度の方が低く、前記炉心上部の中性子束が前記炉心下部の中性子束よりも低く、且つ、複数の制御バンクのうちの第一制御バンクの位置が炉心上部である場合に、前記第一制御バンクの制御棒のみを挿入させる請求項１から３の何れか一項に記載の原子炉制御装置。
【請求項５】
前記駆動制御部は、
前記平均温度よりも前記目標温度の方が高く、前記炉心上部の中性子束が前記炉心下部の中性子束よりも低く、且つ、複数の制御バンクのうちの第一制御バンクの位置が炉心下部である場合に、前記第一制御バンクとは異なる第二制御バンクの制御棒のみを引抜させる請求項１から４の何れか一項に記載の原子炉制御装置。
【請求項６】
前記駆動制御部は、
前記平均温度よりも前記目標温度の方が低く、前記炉心上部の中性子束が前記炉心下部の中性子束よりも高く、且つ、複数の制御バンクのうちの第一制御バンクの位置が炉心上部である場合に、前記第一制御バンクの制御棒と、前記第一制御バンクとは異なる第二制御バンクの制御棒とを両方挿入させる請求項１から５の何れか一項に記載の原子炉制御装置。
【請求項７】
前記駆動制御部は、
前記平均温度よりも前記目標温度の方が高く、前記炉心上部の中性子束が前記炉心下部の中性子束よりも低く、且つ、複数の制御バンクのうちの第一制御バンクの位置が炉心上部である場合に、前記第一制御バンクの制御棒と、前記第一制御バンクとは異なる第二制御バンクの制御棒とを両方引抜させる請求項１から６の何れか一項に記載の原子炉制御装置。
【請求項８】
前記一次冷却材のホウ素濃度を調整するホウ素濃度調整部を備え、
前記駆動制御部は、
前記平均温度よりも前記目標温度の方が高く、前記炉心上部の中性子束が前記炉心下部の中性子束よりも高く、且つ、複数の制御バンクのうちの第一制御バンクの位置が炉心上部である場合に、前記ホウ素濃度調整部によって前記一次冷却材のホウ素濃度を希釈させる請求項１から７の何れか一項に記載の原子炉制御装置。
【請求項９】
前記一次冷却材のホウ素濃度を調整するホウ素濃度調整部を備え、
前記駆動制御部は、
前記平均温度よりも前記目標温度の方が低く、前記炉心上部の中性子束が前記炉心下部の中性子束よりも低く、且つ、複数の制御バンクのうちの第一制御バンクの位置が炉心上部である場合に、前記ホウ素濃度調整部によって前記一次冷却材のホウ素濃度を濃縮させる請求項１から８の何れか一項に記載の原子炉制御装置。
【請求項１０】
前記駆動制御部は、
前記温度偏差の絶対値に応じて前記制御棒を挿入及び引抜をする速度を変化させる制御棒速度調整部を備える請求項１から９の何れか一項に記載の原子炉制御装置。
【請求項１１】
請求項１から１０の何れか一項に記載の原子炉制御装置を備え、負荷追従運転と、その他の運転とを切り替え可能な原子力発電プラント。
【請求項１２】
原子炉の炉心に対して軸方向に挿入及び引抜可能な複数の制御棒を有した複数の制御バンクを備え、前記制御棒を前記制御バンク毎に挿入及び引抜可能な原子炉の制御方法であって、
前記炉心の軸方向出力分布を取得する出力分布取得工程と、
前記炉心に流れる一次冷却材の平均温度を取得する冷却材平均温度取得工程と、
前記軸方向出力分布に基づき、炉心上部の中性子束と、炉心下部の中性子束との偏差である軸方向出力偏差を算出する軸方向出力偏差算出工程と、
前記制御バンクの位置を取得する制御バンク位置取得工程と、
前記一次冷却材の平均温度と、前記一次冷却材の目標温度との温度偏差を求める温度偏差算出工程と、
前記温度偏差と、前記軸方向出力偏差と、前記制御バンクの位置情報とに基づいて、前記複数の制御バンク毎に前記制御棒の挿入及び引抜制御を行う駆動制御工程と、
を含む原子炉の制御方法。
【発明の詳細な説明】
【技術分野】
【０００１】
この発明は、原子炉制御装置、原子力発電プラント及び原子炉の制御方法に関する。
【背景技術】
【０００２】
現在、再生可能エネルギーの電源構成に占める割合が急速に拡大しているが、再生可能エネルギーは発電量が天候により変動するため、電力需給調整が困難になってきている。そこで、電力系統安定化のために原子力発電の負荷追従運転が望まれている。この負荷追従運転は、原子炉の反応度を制御して行うこととなる。一般に、加圧水型原子炉の反応度を制御する方法としては、制御棒とホウ素濃度変化系とがある。出力変動中の反応度変化を制御棒の挿入、引き抜きで補償すれば早い出力変化に対応できる。しかし、出力変化が大きい場合、制御棒のみで出力変動に必要な反応度を補償しようとすると、制御棒の挿入量または引き抜き量を多くするよう駆動する必要があり、軸方向出力分布が大きく歪むとともに、その後にキセノンによる出力振動が生じてしまう。
その一方で、ホウ素濃度変化系は、ゆっくりとした変化であるので、早い出力変動に対応できない。
【０００３】
特許文献１では、複数の制御棒バンクの制御棒を挿入することで急速な出力低下を行い、その後のキセノン増加による出力振動は、ホウ素濃度変化系により補償している。また、特許文献１に記載の技術は、オーバラップが無いかオーバラップが少ない状態で制御棒バンクを挿入することで生じたアキシャルオフセットの絶対値が減少する範囲である炉心下部近傍を制御棒の操作範囲としている。
【先行技術文献】
【特許文献】
【０００４】
【特許文献１】特公平２−００７４３６号公報
【発明の概要】
【発明が解決しようとする課題】
【０００５】
しかしながら、特許文献１では、複数の制御棒バンクは、駆動順序が連続する制御バンク同士が固定間隔を保ちながら駆動するように連動している。そのため、特許文献１では、軸方向出力分布の偏差が大きくなる場合があり、ホウ素濃度の調整による出力制御の頻度が高いという課題がある。
【０００６】
この発明は、上記事情に鑑みてなされたものであり、制御棒を用いて一次冷却材平均温度（Ｔａｖｇ）と、軸方向出力分布（Ａ．Ｏ．）とを同時に制御しつつ、ホウ素濃度調整の頻度を低減できる原子炉制御装置、原子力発電プラント及び原子炉の制御方法を提供するものである。
【課題を解決するための手段】
【０００７】
上記の課題を解決するために以下の構成を採用する。
この発明の第一態様によれば、原子炉制御装置は、原子炉の炉心に対して軸方向に挿入及び引抜可能な複数の制御棒を有した複数の制御バンクと、前記制御バンク毎に前記制御棒を挿入及び引抜させる制御棒駆動装置と、前記制御棒駆動装置を制御する制御装置と、を備える。前記制御装置は、出力分布取得部と、冷却材平均温度取得部と、軸方向出力偏差算出部と、制御バンク位置取得部と、温度偏差算出部と、駆動制御部と、を備える。出力分布取得部は、前記炉心の軸方向出力分布を取得する。冷却材平均温度取得部は、前記炉心に流れる一次冷却材の平均温度を取得する。軸方向出力偏差算出部は、前記出力分布取得部の取得結果に基づき、炉心上部の中性子束と、炉心下部の中性子束との偏差である軸方向出力偏差を算出する。制御バンク位置取得部は、前記制御バンクの位置を取得する。温度偏差算出部は、前記冷却材平均温度取得部で取得した前記平均温度と、前記一次冷却材の目標温度との温度偏差を求める。駆動制御部は、前記温度偏差算出部により取得した温度偏差情報と、前記軸方向出力偏差算出部により算出した軸方向出力偏差情報と、前記制御バンク位置取得部により取得した前記制御バンクの位置情報とに基づいて、前記制御棒駆動装置に対して前記複数の制御バンク毎に前記制御棒の挿入及び引抜制御を行う。
このように制御バンク毎に制御棒の挿入及び引抜制御を行うことで、一次冷却材平均温度を変更するときに、駆動順序が連続する制御バンク同士が固定間隔を保ちながら駆動するように連動している場合のように、軸方向出力分布が目標範囲から逸脱してしまうことを抑制できる。そのため、ホウ素濃度の調節により出力を変動させていたような状況を、制御バンクの制御棒の挿抜制御に置き換えることができる。したがって、ホウ素濃度の調整頻度を低減することができる。
【０００８】
この発明の第二態様によれば、第一態様に係る駆動制御部は、前記平均温度よりも前記目標温度の方が低く、前記炉心上部の中性子束が前記炉心下部の中性子束よりも高く、且つ、複数の制御バンクのうちの第一制御バンクの位置が炉心下部である場合に、前記第一制御バンクとは異なる第二制御バンクの制御棒のみを挿入させるようにしてもよい。
このように構成することで、既に第一制御バンクの制御棒が炉心下部まで深く挿入されており、炉心上部の中性子束の値が炉心下部の中性子束の値よりも大きい場合には、第一制御バンクの更なる挿入は行わずに、第二制御バンクのみを原子炉内に挿入させることができる。したがって、軸方向出力偏差の絶対値が増大することなしに、一次冷却材の温度を低下させることが可能となる。
【０００９】
この発明の第三態様によれば、第一又は第二態様に係る駆動制御部は、前記平均温度よりも前記目標温度の方が高く、前記炉心上部の中性子束が前記炉心下部の中性子束よりも高く、且つ、複数の制御バンクのうちの第一制御バンクの位置が炉心下部である場合に、前記第一制御バンクの制御棒のみを引抜させるようにしてもよい。
このように構成することで、既に第一制御バンクの制御棒が炉心下部まで深く挿入されており、炉心上部の中性子束の値が炉心下部の中性子束の値よりも大きい場合には、第二制御バンクの引抜は行わずに、第一制御バンクのみを炉心から引抜くことができる。したがって、軸方向出力偏差の絶対値が増大することなしに、一次冷却材の温度を上昇させることが可能となる。
【００１０】
この発明の第四態様によれば、第一から第三態様の何れか一つの態様に係る駆動制御部は、前記平均温度よりも前記目標温度の方が低く、前記炉心上部の中性子束が前記炉心下部の中性子束よりも低く、且つ、複数の制御バンクのうちの第一制御バンクの位置が炉心下部である場合に、前記第一制御バンクの制御棒のみを挿入させるようにしてもよい。
このように構成することで、既に第一制御バンクの制御棒が炉心下部まで深く挿入されているが、炉心下部の中性子束の値が炉心上部の中性子束の値よりも大きい場合には、第二制御バンクの挿入は行わずに、第一制御バンクのみを更に挿入させることができる。したがって、軸方向出力偏差の絶対値が増大することなしに、一次冷却材の温度を低下させることが可能となる。
【００１１】
この発明の第五態様によれば、第一から第四態様の何れか一つの態様に係る駆動制御部は、前記平均温度よりも前記目標温度の方が高く、前記炉心上部の中性子束が前記炉心下部の中性子束よりも低く、且つ、複数の制御バンクのうちの第一制御バンクの位置が炉心下部である場合に、前記第一制御バンクとは異なる第二制御バンクの制御棒のみを引抜させるようにしてもよい。
このように構成することで、既に第一制御バンクの制御棒が炉心下部まで深く挿入されており、炉心下部の中性子束の値が炉心上部の中性子束の値よりも大きい場合には、第一制御バンクの引抜は行わずに、第二制御バンクのみを引抜くことができる。したがって、軸方向出力偏差の絶対値が増大することなしに、一次冷却材の温度を上昇させることが可能となる。
【００１２】
この発明の第六態様によれば、第一から第五態様の何れか一つの態様に係る駆動制御部は、前記平均温度よりも前記目標温度の方が低く、前記炉心上部の中性子束が前記炉心下部の中性子束よりも高く、且つ、複数の制御バンクのうちの第一制御バンクの位置が炉心上部である場合に、前記第一制御バンクの制御棒と、前記第一制御バンクとは異なる第二制御バンクの制御棒とを両方挿入させるようにしてもよい。
このように構成することで、第一制御バンクの制御棒が炉心上部に配置されており、炉心上部の中性子束の値が炉心下部の中性子束の値よりも大きい場合には、第一制御バンク及び第二制御バンクの両方を炉心に挿入させることができる。したがって、軸方向出力偏差の絶対値が増大することなしに、一次冷却材の温度を低下させることが可能となる。
【００１３】
この発明の第七態様によれば、第一から第六態様の何れか一つの態様に係る駆動制御部は、前記平均温度よりも前記目標温度の方が高く、前記炉心上部の中性子束が前記炉心下部の中性子束よりも低く、且つ、複数の制御バンクのうちの第一制御バンクの位置が炉心上部である場合に、前記第一制御バンクの制御棒と、前記第一制御バンクとは異なる第二制御バンクの制御棒とを両方引抜させるようにしてもよい。
このように構成することで、第一制御バンクの制御棒が炉心上部に配置されており、炉心下部の中性子束の値が炉心上部の中性子束の値よりも大きい場合には、第一制御バンク及び第二制御バンクの両方を炉心から引抜くことができる。したがって、軸方向出力偏差の絶対値が増大することなしに、一次冷却材の温度を上昇させることが可能となる。
【００１４】
この発明の第八態様によれば、第一から第七態様の何れか一つの態様に係る原子炉制御装置において、前記一次冷却材のホウ素濃度を調整するホウ素濃度調整部を備えていてもよい。駆動制御部は、前記平均温度よりも前記目標温度の方が高く、前記炉心上部の中性子束が前記炉心下部の中性子束よりも高く、且つ、複数の制御バンクのうちの第一制御バンクの位置が炉心上部である場合に、前記ホウ素濃度調整部によって前記一次冷却材のホウ素濃度を希釈させるようにしてもよい。
このように構成することで、第一制御バンクの制御棒が炉心上部に配置されており、炉心上部の中性子束の値が炉心下部の中性子束の値よりも大きい場合には、ホウ素濃度調整部により一次冷却材の平均温度を上昇させることで、第一制御バンク及び第二制御バンクの挿入を促すことができる。したがって、軸方向出力偏差の絶対値が増大することなしに、一次冷却材の温度を低下させることが可能となる。
【００１５】
この発明の第九態様によれば、第一から第八態様の何れか一つの態様に係る原子炉制御装置において、前記一次冷却材のホウ素濃度を調整するホウ素濃度調整部を備えていてもよい。駆動制御部は、前記平均温度よりも前記目標温度の方が低く、前記炉心上部の中性子束が前記炉心下部の中性子束よりも低く、且つ、複数の制御バンクのうちの第一制御バンクの位置が炉心上部である場合に、前記ホウ素濃度調整部によって前記一次冷却材のホウ素濃度を濃縮させるようにしてもよい。
このように構成することで、第一制御バンクの制御棒が炉心上部に配置されており、炉心下部の中性子束の値が炉心上部の中性子束の値よりも大きい場合には、ホウ素濃度調整部により前記平均温度を低下させることで、第一制御バンク及び第二制御バンクの引抜を促すことができる。したがって、軸方向出力偏差の絶対値が増大することなしに、一次冷却材の温度を上昇させることが可能となる。
【００１６】
この発明の第十態様によれば、第一から第九態様の何れか一つの態様に係る駆動制御部は、前記温度偏差の絶対値に応じて前記制御棒を挿入及び引抜をする速度を変化させる制御棒速度調整部を備えるようにしてもよい。
このように構成することで、温度偏差が大きい場合により迅速に出力の増減を行うことが可能となる。
【００１７】
この発明の第十一態様によれば、原子力発電プラントは、第一から第十態様の何れか一つの態様に係る原子炉制御装置を備え、負荷追従運転と、その他の運転とを切り替え可能である。
このように構成することで、例えば、再生可能エネルギーによる発電量が変動したときに、その他の運転から負荷追従運転に切り替えて、負荷追従運転をより安定的に行うことができる。
【００１８】
この発明の第十二態様によれば、原子炉の制御方法は、原子炉の炉心に対して軸方向に挿入及び引抜可能な複数の制御棒を有した複数の制御バンクを備え、前記制御棒を前記制御バンク毎に挿入及び引抜可能な原子炉の制御方法である。この原子炉の制御方法は、出力分布取得工程と、冷却材平均温度取得工程と、軸方向出力偏差算出工程と、制御バンク位置取得工程と、温度偏差算出工程と、駆動制御工程と、を含む。出力分布取得工程では、前記炉心の軸方向出力分布を取得する。冷却材平均温度取得工程では、前記炉心に流れる一次冷却材の平均温度を取得する。軸方向出力偏差算出工程では、前記軸方向出力分布に基づき、炉心上部の中性子束と、炉心下部の中性子束との偏差である軸方向出力偏差を算出する。制御バンク位置取得工程では、前記制御バンクの位置を取得する。温度偏差算出工程では、前記一次冷却材の平均温度と、前記一次冷却材の目標温度との温度偏差を求める。駆動制御工程では、前記温度偏差と、前記軸方向出力偏差と、前記制御バンクの位置情報とに基づいて、前記複数の制御バンク毎に前記制御棒の挿入及び引抜制御を行う。
このようにすることで、一次冷却材平均温度を変更するときに、駆動順序が連続する制御バンク同士が固定間隔を保ちながら駆動するように連動している場合のように、軸方向出力分布が目標範囲から逸脱してしまうことを抑制できる。そのため、従来ホウ素濃度の調節により出力を変動させていたような状況を、制御バンクの制御棒の挿抜制御に置き換えることができる。したがって、ホウ素濃度の調整頻度を低減することができる。
【発明の効果】
【００１９】
上記原子炉制御装置、原子力発電プラント及び原子炉の制御方法によれば、制御棒を用いて一次冷却材平均温度（Ｔａｖｇ）と、軸方向出力分布（Ａ．Ｏ．）とを同時に制御しつつ、ホウ素濃度調整の頻度を低減できる。
【図面の簡単な説明】
【００２０】
【図１】この実施形態の原子力発電プラントの概略構成を示す構成図である。
【図２】この発明の実施形態における燃料集合体と制御棒クラスタとの配置を示す軸方向から見た図である。
【図３】この発明の実施形態における制御装置の機能ブロック図である。
【図４】この発明の実施形態における原子炉の制御方法のフローチャートである。
【図５】この発明の実施形態における駆動制御部の論理回路の概略構成を示す図である。
【図６】温度偏差が正の値であり、軸方向出力偏差が正の値であり、且つ、Ｄバンクの制御棒が炉心下部に配置されている場合を示す説明図である。
【図７】図６の状態からＣバンクのみを挿入させる場合を示す図である。
【図８】図６の状態からＤバンクのみを引抜く場合を示す図である。
【発明を実施するための形態】
【００２１】
次に、この発明の実施形態における原子炉制御装置、原子力発電プラント及び原子炉の制御方法を図面に基づき説明する。
図１は、この実施形態の原子力発電プラントの概略構成を示す構成図である。
図１に示すように、この実施形態における原子力発電プラント１は、加圧水型軽水炉である原子炉設備１００と、タービン設備２００と、を備えている。
原子炉設備１００は、原子炉２と、一次冷却ループ３と、加圧器５と、蒸気発生器４と、原子炉格納容器７と、制御棒駆動装置２０と、原子炉制御装置１００（図３参照）と、を主に備えている。
【００２２】
原子炉２は、原子炉容器１０と、燃料集合体８と、制御棒クラスタ９と、その他の炉内構造物（図示せず）と、を備えている。原子炉容器１０は、燃料集合体８、制御棒クラスタ９、その他の炉内構造物を収容する圧力容器である。
【００２３】
燃料集合体８は、ペレット状の核燃料（例えばウラン燃料やＭＯＸ燃料等）を含む複数の燃料棒を有する。
制御棒クラスタ９は、分散配置された複数の制御棒からなる。これら制御棒クラスタ９は、核燃料を含む炉心で生成される中性子を吸収可能となっている。これら制御棒クラスタ９を燃料集合体８に対して挿入及び引抜をすることにより中性子の数を調整することで原子炉出力を制御する。
【００２４】
一次冷却ループ３は、原子炉容器１０と蒸気発生器４との間に熱媒体である一次冷却材を循環させる流路を形成している。一次冷却ループ３は、一次冷却材を循環させるための一次冷却ポンプ６を有している。
加圧器５は、一次冷却材が沸騰しないように、一次冷却ループ３の内部を加圧する。加圧器５は、例えば、一次冷却ループ３から分岐するように接続されている。
【００２５】
蒸気発生器４は、タービン設備２００を流通する二次冷却水と、一次冷却ループ３を循環する一次冷却材とを熱交換させて、二次冷却水を加熱し、蒸気を発生させる。
原子炉格納容器７は、コンクリート製等の耐圧容器であり、上述した原子炉２、一次冷却ループ３、加圧器５、蒸気発生器４をそれぞれ格納する。
【００２６】
制御棒駆動装置２０は、制御棒クラスタ９を、その軸方向に変位させる。より具体的には、制御棒駆動装置２０は、複数の燃料棒を有する燃料集合体８が配置された炉心に対して制御棒を挿抜させる。
【００２７】
タービン設備２００は、原子炉２で発生させた熱エネルギーを回転エネルギーに変換して利用する。本実施形態のタービン設備２００は、回転エネルギーを更に電気エネルギーに変換している。タービン設備２００は、蒸気タービン１２と、発電機１６と、二次冷却ループ１１と、復水器１３と、を主に備えている。
【００２８】
蒸気タービン１２は、蒸気発生器４から供給された水蒸気により駆動されて回転軸を回転させ、熱エネルギーを回転エネルギーに変換する。この蒸気タービン１２の回転軸は、発電機１６のロータに連結されている。この発電機１６のロータが回転することで発電される。
【００２９】
二次冷却ループ１１は、蒸気発生器４と蒸気タービン１２との間に、熱媒体である二次冷却水を循環させる流路を形成している。二次冷却ループ１１は、二次冷却水を循環させる復水ポンプ１５を有している。復水ポンプ１５により、蒸気発生器４と蒸気タービン１２との間を二次冷却水が循環するようになっている。
【００３０】
復水器１３は、二次冷却ループ１１における蒸気タービン１２の下流側に配置されている。この復水器１３は、蒸気タービン１２で仕事をした後の蒸気を、順次、凝縮する。この実施形態における復水器１３は、蒸気を凝縮するための冷却水として海水を用いている場合を例示している。この海水は、取水管１８、冷却管１７及び排水管１９を通って放水路へ放水される。一方で、復水器１３で海水と熱交換をして凝縮した二次冷却水は、蒸気発生器４に戻る。なお、復水器１３の下流側には、適宜、低圧給水加熱器、脱気器及び高圧給水加熱器等を設けるようにしてもよい。
【００３１】
図２は、この発明の実施形態における燃料集合体と制御棒クラスタとの配置を示す軸方向から見た図である。
図２に示すように、制御棒クラスタ９は、複数の制御バンク９０Ｃと、複数の停止バンク９０Ｓとに分かれている。この実施形態では、複数の制御バンク９０Ｃとして、Ｄバンク、Ｃバンク、Ｂバンク、及びＡバンクを備えている場合を例示している。制御バンク９０Ｃは、原子炉出力を変化させるときに用いられる。一方で、停止バンク９０Ｓは、原子炉を停止させるときに用いられる。なお、図２中、Ｄバンクを「Ｄ」、Ｃバンクを「Ｃ」、Ｂバンクを「Ｂ」、Ａバンクを「Ａ」で示している。また、複数の停止バンク９０Ｓについては、図示都合上、全て「Ｓ」で示している。
【００３２】
制御棒クラスタ９は、制御バンク９０Ｃ毎に燃料集合体８に対する制御棒の挿入・引抜が可能とされている。言い換えれば、同一の制御バンク９０Ｃを構成する複数の制御棒は、同時に挿入及び引抜がなされる。
【００３３】
図３は、この発明の実施形態における原子炉制御装置の機能ブロック図である。
原子炉制御装置１００は、制御装置２１と、上述した制御棒駆動装置２０とを備えている。
制御装置２１は、制御棒駆動装置２０を制御する。より具体的には、制御装置２１は、制御棒駆動装置２０を介して、制御バンク９０Ｃ毎に、燃料集合体８に対する挿入や引抜による位置制御を行う。この実施形態における制御装置２１は、各種演算を行うＣＰＵ（Central Processing Unit；図示せず）を備えている。制御装置２１は、演算プログラムを実行することで実現される複数の機能部として、出力分布取得部２２と、軸方向出力偏差算出部２３と、冷却材平均温度取得部２４と、温度偏差算出部２５と、制御バンク位置取得部２６と、駆動制御部２７と、を備えている。
【００３４】
出力分布取得部２２は、炉心の軸方向出力分布を取得する。この出力分布取得部２２では、炉心の軸方向における出力分布を取得する。この実施形態の出力分布取得部２２は、中性子束検出部２８の検出結果に基づいて軸方向出力分布を取得している。中性子束検出部２８は、例えば、炉心の周方向及び軸方向に間隔をあけて複数設けられて、それぞれ炉心の中性子束を検出する。ここで、炉心の軸方向とは、制御棒の延びる方向及び燃料棒の延びる方向と同一方向である。
【００３５】
軸方向出力偏差算出部２３は、出力分布取得部２２の取得結果に基づき、炉心上部の中性子束と、炉心下部の中性子束との偏差である軸方向出力偏差を算出する。ここで、炉心上部とは、軸方向における炉心中心よりも上の領域であり、同様に炉心下部とは、軸方向における炉心中心よりも下の領域である。また、炉心上部の中性子束は、炉心上部における中性子束の平均値を意味し、炉心下部の中性子束は、炉心下部における中性子束の平均値を意味する。なお、この実施形態では、炉心上部の中性子束から炉心下部の中性子束を減算して偏差を求める場合を例示している。
【００３６】
冷却材平均温度取得部２４は、炉心に流れる一次冷却材の平均温度を取得する。この実施形態の冷却材平均温度取得部２４は、温度検出部２９の検出結果に基づいて一次冷却材の平均温度を取得している。ここで、一次冷却ループ３を流れる一次冷却材は、流れる位置によって温度が異なる。この実施形態における温度検出部２９は、例えば、一次冷却ループ３のホットレグ３ａとコールドレグ３ｂとにそれぞれ設けられている。そして、冷却材平均温度取得部２４は、これらホットレグ３ａとコールドレグ３ｂとで検出された一次冷却材の温度を平均することで一次冷却材の平均温度を求めている。
【００３７】
温度偏差算出部２５は、冷却材平均温度取得部２４で取得した一次冷却材の平均温度と、一次冷却材の目標温度との温度偏差を求める。この実施形態における温度偏差算出部２５は、目標温度設定部３０によって設定された一次冷却材の平均温度の目標値から一次冷却材の平均温度の実測値を減算することで偏差を取得する。
【００３８】
ここで、一次冷却材の平均温度は、原子炉２の出力と相関がある。つまり、原子炉２の出力を上昇させる際には、一次冷却材の目標温度が現在値よりも高く設定され、原子炉２の出力を下降させる場合には、一次冷却材の目標温度が現在値よりも低く設定される。この実施形態における目標温度設定部３０では、入力された原子炉２の出力の目標値に応じた一次冷却材の平均温度を求めている。なお、一次冷却材の平均温度の目標値は、原子炉２の出力の目標値と上記平均温度の目標値とのマップ、テーブル、数式等を用いて求めることができる。
【００３９】
制御バンク位置取得部２６は、制御バンク９０Ｃの位置を取得する。この実施形態における制御バンク位置取得部２６は、制御棒駆動装置２０に設けられた制御バンク９０Ｃ毎の位置検出部（図示せず）によって検出された位置情報を取得する。この位置情報は、例えば、制御バンク９０Ｃが進退する単位であるステップ数の情報で取得してもよい。この制御バンク位置取得部２６による制御バンク９０Ｃの位置情報により、制御バンク９０Ｃの燃料集合体８への挿入深さが分かる。
【００４０】
駆動制御部２７は、制御棒駆動装置２０に対して複数の制御バンク９０Ｃ毎に制御棒の挿入及び引抜制御指令の出力を行う。この実施形態における駆動制御部２７は、温度偏差算出部２５により取得した温度偏差情報と、軸方向出力偏差算出部２３により算出した軸方向出力偏差情報と、制御バンク位置取得部２６により取得した制御バンク９０Ｃの位置情報とに基づいて、複数の制御バンク９０Ｃ毎に制御棒の挿入及び引抜制御指令を出力する。この実施形態で例示する駆動制御部２７は、温度偏差の絶対値に応じて制御バンク９０Ｃを挿入及び引抜をする際の動作速度を調節する。上述した制御棒駆動装置２０は、この駆動制御部２７の制御指令に従って、制御バンク９０Ｃ毎に制御棒の挿入及び引抜きを行う。
【００４１】
この実施形態における駆動制御部２７は、更にホウ素濃度調整部３１の駆動制御を行う。ホウ素濃度調整部３１は、駆動制御部２７の制御指令に従って一次冷却材のホウ素濃度の調整（濃縮及び希釈）を行う。このホウ素濃度調整部３１によるホウ素濃度の調整は、主に上記制御バンク９０Ｃの挿入及び引抜動作によって対応できない場合に用いられる。
【００４２】
（制御方法）
図４は、この発明の実施形態における原子炉の制御方法のフローチャートである。
図４に示すように、この実施形態の原子炉制御装置の原子炉２の制御方法は、駆動制御部２７の有する機能ブロックによりそれぞれ実行される冷却材平均温度取得工程Ｓ１と、温度偏差算出工程Ｓ２と、比較工程Ｓ３と、出力分布取得工程Ｓ４、軸方向出力偏差算出工程Ｓ５と、制御バンク位置取得工程Ｓ６と、駆動制御工程Ｓ７と、を含む。
【００４３】
冷却材平均温度取得工程Ｓ１では、炉心に流れる一次冷却材の平均温度を取得する。
温度偏差算出工程Ｓ２では、冷却材平均温度取得工程Ｓ１で取得した一次冷却材の平均温度と、一次冷却材の目標温度との温度偏差を求める。
【００４４】
比較工程Ｓ３では、温度偏差算出工程Ｓ２により求めた、温度偏差の絶対値が予め定めた閾値よりも小さいか否かを判定する。言い換えれば、一次冷却材の平均温度が目標範囲内に到達しているか否かを判定する。この判定の結果、一次冷却材の平均温度が目標範囲内に到達していると判定された場合（Ｙｅｓ）には、一連の制御処理を終了（エンド）する。その一方で、一次冷却材の平均温度が目標範囲内に到達していないと判定された場合（Ｎｏ）には、出力分布取得工程Ｓ４に進む。
【００４５】
出力分布取得工程Ｓ４では、炉心の軸方向出力分布を取得する。
軸方向出力偏差算出工程Ｓ５では、出力分布取得工程Ｓ４で取得された軸方向出力分布に基づき、軸方向出力偏差を算出する。
制御バンク位置取得工程Ｓ６では、制御バンク９０Ｃの位置を取得する。この実施形態では、後述するＤバンク９０Ｃｄの制御棒の位置を取得する。
【００４６】
駆動制御工程Ｓ７では、温度偏差算出工程Ｓ２で求めた温度偏差と、軸方向出力偏差算出工程Ｓ５で算出した軸方向出力偏差と、制御バンク位置取得工程Ｓ６で取得した制御バンク９０Ｃの位置情報とに基づいて、複数の制御バンク９０Ｃ毎に制御棒の挿入及び引抜制御を行い、上述した冷却材平均温度取得工程Ｓ１に戻る（リターン）。
【００４７】
（駆動制御部による制御バンクの駆動制御）
次に、駆動制御部で行われる制御バンク９０Ｃの駆動制御（駆動制御工程Ｓ７）について具体例を用いて説明する。なお、この実施形態の原子炉２は、四つの制御バンク９０Ｃを備えている。しかし、これら四つ全ての制御バンク９０Ｃの挿入及び引抜動作の説明は非常に煩雑になるため、複数の制御バンク９０ＣのうちＤバンクとＣバンクとの二つの制御バンクを例にして動作概念を説明する。この実施形態では、原子炉２の出力を１００％から５０％まで負荷追従させて変化させた後、この５０％の状態で一定時間運転するケースを一例にして説明する。なお、負荷追従運転における負荷変動は、上記１００％から５０％まで変化させる場合に限られない。
【００４８】
制御装置２１は、例えば、原子炉２の出力を１００％から５０％まで低下させる場合、原子炉２内の中性子束を減少させるために制御棒クラスタ９を燃料集合体８に挿入させる。この際、Ｄバンクは、Ｃバンクよりも先に挿入されるように動作制御される。また、Ｃバンクは、Ｄバンクと連動するように動作制御して、例えば、Ｄバンクに対して所定ステップ（例えば、１００ステップ等）遅れて挿入されるようになっている。この際、制御装置２１は、温度偏差算出部２５により取得した温度偏差が閾値以下となったら、制御バンク９０Ｃの挿入を停止する。これにより原子炉２の出力低下が止まる。
【００４９】
原子炉２の出力低下が止まると、炉心のキセノンが時間経過とともに増減してしまう。そして、このキセノンの増減に伴って中性子束も増減し、原子炉２の出力が不安定になる可能性がある。これに対して制御装置２１は、複数の制御バンク９０Ｃ毎の挿入及び引抜制御を行うことで、一次冷却材のホウ素濃度調節を極力用いずに、原子炉２が不安定になることを抑える。
【００５０】
図５は、この発明の実施形態における駆動制御部の論理回路の概略構成を示す図である。図６は、温度偏差が正の値であり、軸方向出力偏差が正の値であり、且つ、Ｄバンクの制御棒が炉心下部に配置されている場合を示す説明図である。
駆動制御部２７は、原子炉出力の低下を停止した後、図５に示す論理回路のように制御を行う。駆動制御部２７は、上述した一次冷却材の平均温度の温度偏差情報（図５中、「一次冷却材平均温度偏差」）と、上述した軸方向出力偏差情報（図５中、「上部下部中性子束偏差」）と、制御バンク９０Ｃの位置情報(図５中、「Ｄバンク制御棒位置」)とに基づいて、Ｄバンク９０Ｃｄの制御棒とＣバンク９０Ｃｃの制御棒との挿入及び引抜制御を、制御バンク９０Ｃ毎に行う。
【００５１】
以下の説明において、一次冷却材の平均温度の温度偏差（以下、単に温度偏差と称する）は、原子炉２の出力を上昇させる場合に負の値となり、下降さるさせる場合に正の値となる。また、軸方向出力偏差は、軸方向の炉心中心を基準とした上部出力が下部出力よりも大きい場合に正の値となり、上部出力が下部出力よりも小さい場合に負の値となる。また、制御棒の位置は、制御棒の下側の端部の位置を意味しており、制御棒の下側の端部が軸方向の炉心中心よりも上にある場合に炉心上部、下にある場合に炉心下部と称する。
【００５２】
図６に示す左側のグラフは、Ｄバンク９０Ｃｄ及びＣバンク９０Ｃｃの位置を示す棒グラフであり、軸方向における制御棒の位置が下側に配置されている場合ほど、下方に向かって延びている。この左側のグラフにおける一点鎖線は、炉心中心の位置を示している。また、図６に示す右側のグラフは、炉心上部の中性子束の値と、炉心下部の中性子束の値とをそれぞれ示す棒グラフと、縦軸を軸方向位置、横軸を軸線方向出力としたグラフとを重ねて示したものである。
【００５３】
例えば、図６に例示しているケースでは、温度偏差が正の値であり、軸方向出力偏差が正の値であり、且つ、Ｄバンク９０Ｃｄの位置が炉心下部になっている。このケースで、例えば、図５の論理回路の比較器５１によって温度偏差が正側の閾値以上であると判定され、且つ、比較器５３によって軸方向出力偏差が正の値であると判定され、且つ、比較器５４によって複数の制御バンク９０ＣのうちのＤバンク（第一制御バンク）９０Ｃｄの位置が炉心下部であると判定されたとする。すると、図５の加算器６１のみ条件が揃い、Ｄバンク９０Ｃｄとは異なるＣバンク（第二制御バンク）９０Ｃｃの制御棒のみを挿入する方向へ変位させる制御指令が出力される。
【００５４】
図７は、図６の状態からＣバンクのみを挿入させる場合を示す図である。
図６の制御棒位置からＣバンク９０Ｃｃの制御棒のみを挿入させると、図７の右側のグラフに示すように、炉心上部の中性子束が減少する。すると、図７の右側のグラフに示すように、炉心上部と炉心下部との軸方向出力偏差の絶対値が小さくなる。また、Ｃバンク９０Ｃｃの制御棒を挿入するほど温度偏差の絶対値が小さくなる。なお、温度偏差が正側の閾値未満となった時点で、加算器６１の条件は揃わなくなり、Ｃバンク９０Ｃｃの制御棒は挿入停止される。
【００５５】
図８は、図６の状態からＤバンクのみを引抜く場合を示す図である。
図６に例示しているケースで、例えば、図５の比較器５２により温度偏差が負側の閾値以下であると判定され、且つ、比較器５３により軸方向出力偏差が正の値であると判定され、且つ、比較器５４によりＤバンク９０Ｃｄの制御棒の位置が炉心下部にあると判定されたとする。すると、図５の加算器６２のみ条件が揃い、Ｄバンク９０Ｃｄの制御棒のみを引抜く方向へ変位させる制御指令が出力される。なお、比較器５１の正側の閾値と、比較器５２の負側の閾値との間には、不感帯が設けられている。
【００５６】
図６の制御棒位置からＤバンク９０Ｃｄの制御棒のみを引抜くと、図８の右側のグラフに示すように、炉心下部の中性子束が増加する。これにより、炉心上部と炉心下部との軸方向出力偏差の絶対値が小さくなる。また、一次冷却材の平均温度は、制御棒を引抜くことにより上昇するため、温度偏差の絶対値は、Ｄバンク９０Ｃｄの制御棒を引抜くことで小さくなる。
【００５７】
次に、上記以外の他のケースについても説明する。なお、他のケースについては、グラフを用いずに図５のみを用いて説明する。
例えば、温度偏差が正の値（すなわち、目標温度の方が現在温度よりも低い）であり、軸方向出力偏差が負の値（すなわち、炉心下部の出力が高い）であり、且つ、Ｄバンク９０Ｃｄの位置が炉心下部になっているケースがある。このケースにおいて、図５の論理回路の比較器５１によって温度偏差が正側の閾値以上であると判定され、且つ、比較器５３及びインバーター５５によって軸方向出力偏差が負の値であると判定され、且つ、比較器５４及びインバーター５６によって複数の制御バンク９０ＣのうちのＤバンク９０Ｃｄの位置が下側の閾値以下であると判定されると、図５の論理回路の加算器６３のみ条件が揃い、Ｄバンク９０Ｃｄの制御棒のみを挿入する方向へ変位させる制御指令が出力される。
【００５８】
Ｄバンク９０Ｃｄの制御棒のみを挿入すると、炉心下部の中性子束が減少する。これにより、炉心上部と炉心下部との軸方向出力偏差が小さくなる。また、一次冷却材の平均温度は、制御棒を挿入することにより低下するため、温度偏差の絶対値は、Ｄバンク９０Ｃｄの制御棒を挿入することで小さくなる。
【００５９】
さらに例えば、温度偏差が負の値（すなわち、目標温度の方が現在温度よりも高い）であり、軸方向出力偏差が負の値（すなわち、炉心下部の出力が高い）であり、且つ、Ｄバンク９０Ｃｄの位置が炉心下部になっているケースがある。このケースにおいて、図５の論理回路の比較器５２によって温度偏差が負側の閾値以下であると判定され、且つ、比較器５３及びインバーター５５によって軸方向出力偏差が負の値であると判定され、且つ、比較器５４及びインバーター５６によってＤバンク９０Ｃｄの位置が下側であると判定されると、図５の論理回路の加算器６４のみ条件が揃い、Ｃバンク９０Ｃｃの制御棒のみを引抜く方向へ変位させる制御指令が出力される。
【００６０】
Ｃバンク９０Ｃｃの制御棒のみを引抜くと、炉心下部に配置されたＤバンク９０Ｃｄにより炉心下部の中性子束の上昇を抑えつつ、Ｃバンク９０Ｃｃにより炉心上部の中性子束を上昇させることができる。これにより、炉心上部と炉心下部との軸方向出力偏差の絶対値を小さくすることができる。また、温度偏差の絶対値は、Ｃバンク９０Ｃｃの制御棒を引抜くことで小さくなる。
【００６１】
また例えば、温度偏差が正の値（すなわち、目標温度の方が現在温度よりも低い）であり、軸方向出力偏差が正の値（すなわち、炉心上部の出力が高い）であり、且つ、Ｄバンク９０Ｃｄの位置が炉心上部になっているケースがある。このケースにおいて、図５の論理回路の比較器５１によって温度偏差が正側の閾値以下であると判定され、且つ、比較器５３によって軸方向出力偏差が正の値であると判定され、且つ、比較器５４及びインバーター５６によってＤバンク９０Ｃｄの位置が上側であると判定されると、図５の論理回路の加算器６５のみ条件が揃い、Ｄバンク９０Ｃｄ及びＣバンク９０Ｃｃの制御棒を両方挿入方向へ変位させる制御指令が出力される。
【００６２】
Ｄバンク９０Ｃｄ及びＣバンク９０Ｃｄｃの制御棒を両方挿入させると、炉心上部に配置されたＤバンク９０Ｃｄにより炉心上部の中性子束を抑えることができる。これにより、炉心上部と炉心下部との軸方向出力偏差の絶対値を小さくすることができる。また、温度偏差の絶対値は、Ｄバンク９０Ｃｄ及びＣバンク９０Ｃｃの制御棒を挿入するほど小さくなる。
【００６３】
さらに例えば、温度偏差が負の値（すなわち、目標温度の方が現在温度よりも高い）であり、軸方向出力偏差が正の値（すなわち、炉心上部の出力が高い）であり、且つ、Ｄバンク９０Ｃｄの位置が炉心上部になっているケースがある。このケースにおいて、図５の論理回路の比較器５２によって温度偏差が負側の閾値以下であると判定され、且つ、比較器５３によって軸方向出力偏差が正の値であると判定され、且つ、比較器５４及びインバーター５６によってＤバンク９０Ｃｄの位置が上側であると判定されると、図５の論理回路の加算器６６のみ条件が揃い、一次冷却材を希釈してホウ素濃度を低下させる制御指令が出力される。このようにホウ素濃度により炉心出力を増加させるのは、炉心上部に配置されたＤバンク９０Ｃｄの制御棒を引抜きさせると、炉心上部の中性子束がさらに増加して、軸方向出力偏差の絶対値が大きくなりすぎる可能性があるためである。一次冷却材が希釈されると、現在温度が上昇するため、温度偏差が負から正に転じ、Ｄバンク９０Ｃｄ（第一制御バンク）及びＣバンク９０Ｃｃ（第二制御バンク）の挿入を促すことができる。これにより、炉心上部の中性子束が減少し、炉心上部と炉心下部との軸方向出力偏差の絶対値を小さくすることができる。
【００６４】
また例えば、温度偏差が正の値（すなわち、目標温度の方が現在温度よりも低い）であり、軸方向出力偏差が負の値（すなわち、炉心下部の出力が高い）であり、且つ、Ｄバンク９０Ｃｄの位置が炉心上部になっているケースがある。このケースにおいて、図５の論理回路の比較器５１によって温度偏差が正側の閾値以下であると判定され、且つ、比較器５３及びインバーター５５によって軸方向出力偏差が負の値であると判定され、且つ、比較器５４及びインバーター５６によってＤバンク９０Ｃｄの位置が上側であると判定されると、図５の論理回路の加算器６７のみ条件が揃い、一次冷却材を濃縮してホウ素濃度を高める制御指令が出力される。このようにホウ素濃度により炉心出力を低下させるのは、炉心上部に配置されたＤバンク９０Ｃｄの制御棒を挿入させると、炉心下部に到達する前に、炉心上部の中性子束がさらに低下して、軸方向出力偏差の絶対値が大きくなりすぎる可能性があるためである。一次冷却材が濃縮されると、現在温度が低下するため、温度偏差が正から負に転じ、Ｄバンク９０Ｃｄ（第一制御バンク）及びＣバンク９０Ｃｃ（第二制御バンク）の引抜を促すことができる。これにより、炉心上部の中性子束が上昇し、炉心上部と炉心下部との軸方向出力偏差の絶対値を小さくすることができる。
【００６５】
さらに例えば、温度偏差が負の値（すなわち、目標温度の方が現在温度よりも高い）であり、軸方向出力偏差が負の値（すなわち、炉心下部の出力が高い）であり、且つ、Ｄバンク９０Ｃｄの位置が炉心上部になっているケースがある。このケースにおいて、図５の論理回路の比較器５２によって温度偏差が負側の閾値以下であると判定され、且つ、比較器５３及びインバーター５５によって軸方向出力偏差が負の値であると判定され、且つ、比較器５４及びインバーター５６によってＤバンク９０Ｃｄの位置が上側であると判定されると、図５の論理回路の加算器６５のみ条件が揃い、Ｄバンク９０Ｃｄ及びＣバンク９０Ｃｃの制御棒を両方引抜方向へ変位させる制御指令が出力される。
【００６６】
Ｄバンク９０Ｃｄ及びＣバンク９０Ｃｄｃの制御棒を両方引抜させると、炉心上部に配置されたＤバンク９０Ｃｄにより炉心上部の中性子束を増加させることができる。これにより、炉心上部と炉心下部との軸方向出力偏差の絶対値を小さくすることができる。また、温度偏差の絶対値は、Ｄバンク９０Ｃｄ及びＣバンク９０Ｃｃの制御棒を引抜くほど大きくなる。
【００６７】
なお、図５に示す論理回路は、速度プログラム（制御棒速度調整部）７０を有しており、この速度プログラム７０によって温度偏差の絶対値に応じた制御バンク９０Ｃの挿入及び引抜く速度指令（速度信号）が駆動制御部２７へ出力され、上述した各ケースにおいて、制御棒を挿抜する速度が最適化される。
【００６８】
（実施形態の作用効果）
上述した実施形態によれば、一次冷却材の平均温度を変更（増減）するときに、複数の制御バンク９０Ｃの駆動順序が連続する制御バンク９０Ｃ同士が固定間隔を保ちながら駆動するように連動している場合のように、軸方向出力分布が目標範囲から逸脱してしまうことを抑制できる。そのため、ホウ素濃度の調節により出力を変動させていたような状況を、制御バンク９０Ｃの制御棒の挿抜制御に置き換えることができる。したがって、ホウ素濃度の調整頻度を低減することができる。
【００６９】
さらに、原子炉２の出力を低下させたいときに、既にＤバンク９０Ｃｄの制御棒が炉心下部まで深く挿入されており、炉心上部の中性子束の値が炉心下部の中性子束の値よりも大きい場合には、Ｄバンク９０Ｃｄの更なる挿入は行わずに、Ｃバンク９０Ｃｃのみを挿入させることができる。したがって、軸方向出力偏差の絶対値が増大することなしに、一次冷却材の温度を低下させることが可能となる。
【００７０】
また、原子炉２の出力を増加させたいときに、Ｄバンク９０Ｃｄの制御棒が炉心下部まで深く挿入されており、炉心上部の中性子束の値が炉心下部の中性子束の値よりも大きい場合には、Ｃバンク９０Ｃｃの引抜は行わずに、Ｄバンク９０Ｃｄのみを引抜くことができる。したがって、軸方向出力偏差の絶対値が増大することなしに、一次冷却材の温度を上昇させることが可能となる。
【００７１】
さらに、原子炉２の出力を低下させたいときに、既にＤバンク９０Ｃｄの制御棒が炉心下部まで深く挿入されているが、炉心下部の中性子束の値が炉心上部の中性子束の値よりも大きい場合には、Ｃバンク９０Ｃｃの挿入は行わずに、Ｄバンク９０Ｃｄのみを更に挿入させることができる。したがって、軸方向出力偏差の絶対値が増大することなしに、一次冷却材の温度を低下させることが可能となる。
【００７２】
また、原子炉２の出力を増加させたいときに、Ｄバンク９０Ｃｄの制御棒が炉心下部まで深く挿入されており、炉心下部の中性子束の値が炉心上部の中性子束よりも大きい場合には、Ｄバンク９０Ｃｄの引抜は行わずに、Ｃバンク９０Ｃｃのみを引抜くことができる。したがって、軸方向出力偏差の絶対値が増大することなしに、一次冷却材の温度を上昇させることが可能となる。
【００７３】
さらに、原子炉２の出力を低下させたいときに、Ｄバンク９０Ｃｄの制御棒が炉心上部に配置されており、炉心上部の中性子束の値が炉心下部の中性子束の値よりも大きい場合には、Ｄバンク９０Ｃｄ及びＣバンク９０Ｃｃの両方を炉心に挿入させることができる。したがって、軸方向出力偏差の絶対値が増大することなしに、一次冷却材の温度を低下させることが可能となる。
【００７４】
また、原子炉２の出力を増加させたいときに、既にＤバンク９０Ｃｄの制御棒が炉心上部に配置されており、炉心下部の中性子束の値が炉心上部の中性子束の値よりも大きい場合には、Ｄバンク９０Ｃｄ及びＣバンク９０Ｃｃの両方を炉心から引抜くことができる。したがって、軸方向出力偏差の絶対値が増大することなしに、一次冷却材の温度を上昇させることが可能となる。
【００７５】
さらに、原子炉２の出力を増加させたいときに、Ｄバンク９０Ｃｄの制御棒が炉心上部に配置されており、炉心上部の中性子束の値が炉心下部の中性子束の値よりも大きい場合には、ホウ素濃度調整部３１により一次冷却材の平均温度を上昇させることで、Ｄバンク９０Ｃｄ及びＣバンク９０Ｃｃの挿入を促すことができる。したがって、軸方向出力偏差の絶対値が増大することなしに、一次冷却材の温度を低下させることが可能となる。
【００７６】
また、原子炉２の出力を低下させたいときに、Ｄバンク９０Ｃｄの制御棒が炉心上部に配置されており、炉心下部の中性子束の値が炉心上部の中性子束の値よりも大きい場合には、ホウ素濃度調整部３１により一次冷却材の平均温度を低下させることで、Ｄバンク９０Ｃｄ及びＣバンク９０Ｃｃの引抜を促すことができる。したがって、軸方向出力偏差の絶対値が増大することなしに、一次冷却材の温度を上昇させることが可能となる。
【００７７】
さらに、速度プログラム７０を有していることで、温度偏差が大きい場合により迅速に原子炉２の出力の増減を行うことが可能となる。
【００７８】
また、上記構成を備える原子炉制御装置を備えることで、再生可能エネルギーによる発電量が変動したときに、負荷追従運転をより安定的に行うことが可能となる。
【００７９】
（その他変形例）
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
例えば、制御装置２１で実行するプラグラムは、上述した機能の一部だけを実現するようにしてもよい。
さらに、制御バンク９０Ｃの数は、上述した実施形態で例示した数に限られない。
【００８０】
上述した実施形態では、原子炉発電プラント１が、原子炉制御装置１００を用いて負荷追従運転を行う場合について説明した。しかし、原子炉発電プラント１は、原子炉制御装置１００を用いて、負荷追従運転と、その他の運転（例えば、負荷追従せずにベースロート電源として運転する通常運転）と、を切り換え可能であってもよい。
【符号の説明】
【００８１】
１  原子力発電プラント
２  原子炉
３  一次冷却ループ
３ａ  ホットレグ
３ｂ  コールドレグ
４  蒸気発生器
５  加圧器
６  一次冷却ポンプ
７  原子炉格納容器
８  燃料集合体
９  制御棒クラスタ
１０  原子炉容器
１１  二次冷却ループ
１２  蒸気タービン
１３  復水器
１５  復水ポンプ
１６  発電機
１７  冷却管
１８  取水管
１９  排水管
２０  制御棒駆動装置
２１  制御装置
２２  出力分布取得部
２３  軸方向出力偏差算出部
２４  冷却材平均温度取得部
２５  温度偏差算出部
２６  制御バンク位置取得部
２７  駆動制御部
２８  中性子束検出部
２９  温度検出部
３０  目標温度設定部
３１  ホウ素濃度調整部
５１〜５４  比較器
５５，５６  インバーター
６１〜６７  加算器
７０  速度プログラム（制御棒速度調整部）
９０Ｃ  制御バンク
９０Ｃｃ  Ｃバンク（第二制御バンク）
９０Ｃｄ  Ｄバンク（第一制御バンク）
９０Ｓ  停止バンク
１００  原子炉制御装置
【図１】
2020190423.tif 000003
【図２】
2020190423.tif 000004
【図３】
2020190423.tif 000005
【図４】
2020190423.tif 000006
【図５】
2020190423.tif 000007
【図６】
2020190423.tif 000008
【図７】
2020190423.tif 000009
【図８】
2020190423.tif 000010